(57)【要約】      （修正有）【課題】高機能性の枕を気軽に試すことができ、或いは、日常的に使用することを可能にする枕補助マットを提供する。【解決手段】枕補助マットは、平板状に形成された芯材と、芯材を覆うとともに縦方向と横方向のそれぞれ複数本の縫い目によって芯材と一体に縫い合わせられた内カバー３と、内カバーを覆うとともに絹繊維からなる外カバーとからなる。芯材と内カバーは、内カバーの上面と下面を貫通する縫い目により一体に縫製される。芯材と内カバーを一体に縫製する縫い目により、横方向を２等分、４等分する位置に縦方向の５本のライン２ａ〜２ｅが形成される。【選択図】図２
0003231910.tif 000002
【実用新案登録請求の範囲】
【請求項１】
平板状に形成された芯材と、この芯材を覆うとともに縦方向と横方向のそれぞれ複数本の縫い目によって前記芯材と一体に縫い合わせられた内カバーと、この内カバーを覆うとともに絹繊維からなる外カバーとからなることを特徴とする枕補助マット。
【請求項２】
前記芯材と前記内カバーは、前記内カバーの上面と下面を貫通する縫い目により一体に縫製されていることを特徴とする請求項１に記載の枕補助マット。
【請求項３】
前記芯材と前記内カバーを一体に縫製する縫い目により、横方向を２等分、４等分する位置に縦方向のラインが形成されていることを特徴とする請求項１または２に記載の枕補助マット。
【請求項４】
前記芯材の厚さは、１０〜２０ｍｍであることを特徴とする請求項１〜３のいずれかに記載の枕補助マット。
【請求項５】
前記内カバーは、ニット生地からなることを特徴とする請求項１〜４のいずれかに記載の枕補助マット。
【請求項６】
前記芯材は、羊毛を５０〜７０％、ポリ乳酸繊維を３０〜５０％含むことを特徴とする請求項１〜５のいずれかに記載の枕補助マット。
【請求項７】
前記内カバーは、羊毛を６０〜８０％、絹繊維を２０〜４０％含むことを特徴とする請求項１〜６のいずれかに記載の枕補助マット。
【考案の詳細な説明】
【技術分野】
【０００１】
本考案は、枕の上に載せて使用する枕補助マットに関する。
【背景技術】
【０００２】
従来、様々な素材を用いた枕が知られている。例えば、充填材に炭を用いたもの（特許文献１）、枕の高さと硬さを調整するウールシートを、軟質のウレタンフォームで形成された枕本体の上部に配置したもの（特許文献２）、三次元立体織物を複数枚積層してなるクッション材を用いたもの（特許文献３）などが知られている。
【０００３】
一方、近年の地球温暖化、異常気象、大気汚染など多くの問題を引き起こしてきた大量生産、大量消費、大量廃棄のシステムを見直し、環境にやさしく人にやさしい自然素材を用いた枕が再び注目を浴びつつある。そして、枕に使用される自然素材としては、例えば、羽毛、羽根、そばがら、羊毛などが知られている。また、従来の自然素材からなる枕の欠点を解消した、適度な反発力を有し形状が安定した枕も提案されている（特許文献４）。
【先行技術文献】
【特許文献】
【０００４】
【特許文献１】特開平１１−２０６５６３８号公報
【特許文献２】登実第３１３７０３０号公報
【特許文献３】国際公開ＷＯ２００７／０５５１５２号パンフレット
【特許文献４】登実第３２２４３４５号公報
【考案の概要】
【考案が解決しようとする課題】
【０００５】
しかしながら、従来の高機能性の枕は高価であり、気軽に試すことができないという問題があった。
【０００６】
そこで、本考案は、高機能性の枕を気軽に試すことができ、或いは、日常的に使用することを可能にする新規の物品を提供することを目的とする。
【課題を解決するための手段】
【０００７】
本考案者は、上記課題を解決するために鋭意検討した結果、手持ちの枕の上に載せて使用する枕補助マットを提供することに想到した。
【０００８】
本考案の枕補助マットは、平板状に形成された芯材と、この芯材を覆うとともに縦方向と横方向のそれぞれ複数本の縫い目によって前記芯材と一体に縫い合わせられた内カバーと、この内カバーを覆うとともに絹繊維からなる外カバーとからなることを特徴とする。
【０００９】
また、前記芯材と前記内カバーは、前記内カバーの上面と下面を貫通する縫い目により一体に縫製されていることを特徴とする。
【００１０】
また、前記芯材と前記内カバーを一体に縫製する縫い目により、横方向を２等分、４等分する位置に縦方向のラインが形成されていることを特徴とする。
【００１１】
また、前記芯材の厚さは、１０〜２０ｍｍであることを特徴とする。
【００１２】
また、前記内カバーは、ニット生地からなることを特徴とする。
【００１３】
また、前記芯材は、羊毛を５０〜７０％、ポリ乳酸繊維を３０〜５０％含むことを特徴とする。
【００１４】
さらに、前記内カバーは、羊毛を６０〜８０％、絹繊維を２０〜４０％含むことを特徴とする。
【考案の効果】
【００１５】
本考案の枕補助マットによれば、平板状に形成された芯材と、この芯材を覆うとともに縦方向と横方向のそれぞれ複数本の縫い目によって前記芯材と一体に縫い合わせられた内カバーと、この内カバーを覆うとともに絹繊維からなる外カバーとからなるため、枕の上に載置して好適に使用することができ、外カバーの絹繊維に含まれる成分が肌や髪の表面に作用して、肌や髪が艶やかになる。したがって、手持ちの枕と組わせることにより、高機能性の枕を気軽に試すことができ、或いは、日常的に使用することを可能にする。
【００１６】
また、前記芯材と前記内カバーは、前記内カバーの上面と下面を貫通する縫い目により一体に縫製されているため、芯材が内カバーの中でずれることなく安定し、一定の強度が維持される。
【００１７】
また、前記芯材と前記内カバーを一体に縫製する縫い目により、横方向を２等分、４等分する位置に縦方向のラインが形成されているため、縦方向の中央のラインに沿って枕補助マットを２つ折りにすることや、２つ折りにしたときの中央のラインに沿ってさらに４つ折りにすることが容易となり、枕補助マットをコンパクトに折りたたんで持ち運ぶことができる。
【００１８】
また、前記芯材の厚さは、１０〜２０ｍｍであるため、枕の上に載置して使用しても枕の高さがほとんど変わらず、好適に使用することができる。
【００１９】
また、前記内カバーは、ニット生地からなるため、縦方向、横方向の伸縮性に優れ、枕補助マットが載置される枕の形状の変化に追従して変形することができ、使い心地が向上する。
【００２０】
また、前記芯材は、羊毛を５０〜７０％、ポリ乳酸繊維を３０〜５０％含むため、適度な反発力を有し、形状が安定した枕補助マットとなる。
【００２１】
さらに、前記内カバーは、羊毛を６０〜８０％、絹繊維を２０〜４０％含むため、羊毛とポリ乳酸繊維からなる芯材と、絹繊維からなる外カバー４と共通の材質を含むことにより、芯材との親和性、外カバーとの親和性を、ともに高めることができる。
【図面の簡単な説明】
【００２２】
【図１】本考案の枕補助マットの一実施形態における、芯材の上面図である。
【図２】同上、本体の上面図である。
【図３】同上、外カバーの上視図である。
【図４】同上、別の実施形における、本体の斜視図である。
【図５】同上、外カバーを被せた枕補助マットの斜視図である。
【考案を実施するための形態】
【００２３】
本考案の枕補助マットの実施形態について、添付した図面を参照しながら説明する。
【実施例１】
【００２４】
本実施例の枕補助マットの芯材の上面を示す図１において、１は芯材であり、後述する内カバーに収容されて縫製される前の状態を示している。芯材１は、羊毛とポリ乳酸繊維からなる断熱材から構成されている。この断熱材は、住宅の壁、天井、床下などに用いられているものであり、例えば、特開２００８−３０３５９７号公報に開示されている環境適応型ボード状断熱材を用いることができる。また、この断熱材としては、例えば、羊毛を５０〜７０％、ポリ乳酸繊維を３０〜５０％含み、密度が３０ｋｇ／ｍ３以上のものを好適に用いることができる。なお、断熱材の密度が高いほど、芯材１が硬くなり、反発力と形状安定性も高くなる。
【００２５】
この断熱材を構成するポリ乳酸繊維としては、トウモロコシなどの農作物を原料として製造されたものが好適に用いられ、農産物を原料とするものを用いることによって、芯材１を、自然素材に由来する材料のみを用いたものとすることができる。また、羊毛とポリ乳酸繊維からなる断熱材により芯材１を形成することにより、適度な反発力を有し、形状が安定した枕補助マットとなる。また、断熱材を構成する羊毛は、優れた断熱性を有し、吸湿性、放湿性にも優れるため、夏は涼しく、冬は暖かく、快適に使用することができる。
【００２６】
また、断熱材としては、羊毛にポリ乳酸繊維を部分的に熱融着したものが好適に用いられる。羊毛とポリ乳酸繊維が部分的に熱融着されていることにより、断熱材がばらけることがなく、より確実に安定した形状が維持される。また、接着剤を用いることなく熱融着によって形状が維持されるので、接着剤に含まれる揮発性化学物質を気にする必要がなく、安心して枕補助マットを使用することができる。
【００２７】
さらに、断熱材としては、ホウ酸処理がなされたものが好適に用いられる。ホウ酸を含むことにより、防カビ、防虫、防腐の効果が得られる。
【００２８】
芯材１の形状は、好ましくは略直方体であって、好適なサイズは、例えば、縦３００〜５００ｍｍ、横５００〜７００ｍｍ、厚さ１０〜３０ｍｍである。特に好ましいサイズは、縦３５０〜４５０ｍｍ、横５５０〜６５０ｍｍ、厚さ１０〜２０ｍｍである。厚さが１０〜２０ｍｍであることから、枕の上に載置して使用しても枕の高さがほとんど変わらず、好適に使用することができる。
【００２９】
つぎに、図２に本実施例の枕補助マットの本体２の上面を示す。本体２は、図１に示した芯材１を、袋状に形成された内カバー３の中に収容することで形成されている。
【００３０】
また、内カバー２のサイズは、芯材１を隙間なく収容できるサイズになっており、芯材１と内カバー２は、内カバー２の上面と下面を貫通する縫い目により一体に縫製されている。そして、芯材１と内カバー２を一体に縫製する縫い目により、縦方向に等間隔に５本のライン２ａ、２ｂ、２ｃ、２ｄ、２ｅ、横方向に不等間隔に４本のライン２ｆ、２ｇ、２ｈ、２ｉが形成されている。このように縫製されることで、芯材１が内カバー３の中でずれることなく安定し、一定の強度が維持される。また、縫い目があることで表面積が増し、吸放湿性が増す。
【００３１】
また、縦方向の中央のライン２ｃに沿って枕補助マットを２つ折りにすることや、２つ折りにしたときの中央のライン２ｂ、２ｄに沿ってさらに４つ折りにすることが容易となり、枕補助マットをコンパクトに折りたたんで持ち運ぶことができる。したがって、旅行に携行して宿泊先で使用することができ、長時間の乗り物での移動中の補助枕として使用することもできる。さらに、折りたたみができることから、補助マットが載置される枕に対して、横向きに使用することができるほか、縦向きにも使用することができ、様々な使用方法に対応することができる。
【００３２】
また、内カバー３は、羊毛と絹繊維からなり、例えば、羊毛を６０〜８０％、絹繊維を２０〜４０％含む。このように、羊毛とポリ乳酸繊維からなる芯材１と、後述する絹繊維からなる外カバーと共通の材質を含むことにより、芯材１との親和性、外カバーとの親和性を、ともに高めることができる。
【００３３】
さらに、内カバー３は、ニット生地からなる。このため、縦方向、横方向の伸縮性に優れ、枕補助マットが載置される枕の形状の変化に追従して変形することができ、使い心地が向上する。
【００３４】
つぎに、図３に本実施例の枕補助マットの外カバー４を示す。外カバー４は本体２を隙間なく収容できるサイズで袋状に形成され、左右いずれかの一端側から本体２を出し入れ可能に構成されている。また、外カバー４の周囲には、フリル４ａが形成されており、美観に優れるほか、枕補助マットを枕に載置したときに枕に密着するようになっている。なお、本実施例ではフリル４ａが形成された例を示したが、フリル４ａを形成しなくてもよい。
【００３５】
また、外カバー４は、絹繊維からなる。絹繊維には肌や髪の保湿成分に似た成分が含まれているため、外カバー４の絹繊維に含まれる成分が肌や髪の表面に作用して、肌や髪が艶やかになる。したがって、毎日の睡眠中に肌や髪が触れることによる美顔効果と美髪効果が期待できる。さらに、絹繊維は肌触りが良いため、毎日の睡眠中に肌が触れることによるストレス解消効果と癒し効果も期待できる。
【００３６】
このような本実施例の枕補助マットは、枕の上に載置するだけで手持ちの枕を高機能性の枕として好適に使用することを可能にする、従来にない新規の物品であり、芯材１、内カバー３の素材を選択することにより、熱ごもりの解消、調湿、硬軟の調整、消臭、衛生上の効果、など、手持ちの枕の欠点を解消し、弱点を補うことができる。
【００３７】
以上のように、本実施例の枕補助マットによれば、平板状に形成された芯材１と、この芯材１を覆うとともに縦方向と横方向のそれぞれ複数本の縫い目によって前記芯材１と一体に縫い合わせられた内カバー３と、この内カバー３を覆うとともに絹繊維からなる外カバー４とからなるため、枕の上に載置して好適に使用することができるとともに、外カバー４の絹繊維に含まれる成分が肌や髪の表面に作用して、肌や髪が艶やかになる。したがって、手持ちの枕と組わせることにより、高機能性の枕を気軽に試すことができ、或いは、日常的に使用することを可能にする。
【００３８】
また、前記芯材１と前記内カバー３は、前記内カバー３の上面と下面を貫通する縫い目により一体に縫製されているため、芯材１が内カバー３の中でずれることなく安定し、一定の強度が維持される。
【００３９】
また、前記芯材１と前記内カバー３を一体に縫製する縫い目により、横方向を２等分、４等分する位置に縦方向のライン２ｂ、２ｃ、２ｄが形成されているため、縦方向の中央のライン２ｃに沿って枕補助マットを２つ折りにすることや、２つ折りにしたときの中央のライン２ｂ、２ｄに沿ってさらに４つ折りにすることが容易となり、枕補助マットをコンパクトに折りたたんで持ち運ぶことができる。
【００４０】
また、前記芯材１の厚さは、１０〜２０ｍｍであるため、枕の上に載置して使用しても枕の高さがほとんど変わらず、好適に使用することができる。
【００４１】
また、前記内カバー３は、ニット生地からなるため、縦方向、横方向の伸縮性に優れ、枕補助マットが載置される枕の形状の変化に追従して変形することができ、使い心地が向上する。
【００４２】
また、前記芯材１は、羊毛を５０〜７０％、ポリ乳酸繊維を３０〜５０％含むため、適度な反発力を有し、形状が安定した枕補助マットとなる。
【００４３】
さらに、前記内カバー３は、羊毛を６０〜８０％、絹繊維を２０〜４０％含むため、羊毛とポリ乳酸繊維からなる芯材１と、絹繊維からなる外カバー４と共通の材質を含むことにより、芯材１との親和性、外カバー４との親和性を、ともに高めることができる。
【実施例２】
【００４４】
別の実施例を図４、図５の写真に示す。
【００４５】
図４は、本実施例における本体の斜視図を示したものである。本実施例では、芯材と内カバーを一体に縫製する縫い目の位置が実施例１と異なるが、その他の構成は実施例１と同じである。本実施例においては、５本の縦のラインは等間隔になっていないが、横方向を２等分、４等分する位置に縦方向のラインが設けられている。したがって、縦方向の中央のラインに沿って２つ折りにでき、さらに２つ折りにしたときの中央のラインに沿って４つ折りにすることができる。
【００４６】
図５は、本体に外カバーを被せた状態の斜視図を示すものである。本実施例では、外カバーにフリルが設けられていない点で実施例１とは異なるが、その他の構成は実施例１と同じである。本実施例においても、外カバーは絹繊維からなるため、外カバーの絹繊維に含まれる成分が肌や髪の表面に作用して、肌や髪が艶やかになる。したがって、毎日の睡眠中に肌や髪が触れることによる美顔効果と美髪効果が期待できる。
【００４７】
本実施例の枕補助マットの大きさは、横約６００ｍｍ、縦約４００ｍｍ、厚さ約１５ｍｍであり、既存の枕の上に載せて使用するのに最適なサイズとなっている。
【００４８】
以上、本考案の一実施形態について説明したが、本考案は本実施形態に限定されるものではなく、種々の変更実施が可能である。
【符号の説明】
【００４９】
１  芯材
２ｂ、２ｃ、２ｄ  ライン
３  内カバー
４  外カバー
【図１】
0003231910.tif 000003
【図２】
0003231910.tif 000004
【図３】
0003231910.tif 000005
【図４】
0003231910.tif 000006
【図５】
0003231910.tif 000007